【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
操作内容を表示する表示部と、ユーザに入力をさせる入力手段とを備える携帯端末において、
赤外光を発光する光源と、
該光源からの光による生体の静脈画像を撮像する撮像部と、
前記撮像部の撮像方向に開口する開口部と、
生体情報を保存する記憶装置と、
前記撮像部によって撮像された画像からの特徴抽出と前記記憶装置に保存された生体情報との特徴照合を行う画像演算部と、
設置させる生体の設置位置を決める位置決め手段とを備え、
前記位置決め手段は、前記光源と前記撮像部との間に有することを特徴とする携帯端末。
【請求項２】
前記生体が指であることを特徴とする請求項１記載の携帯電話端末。
【請求項３】
前記携帯端末は、さらにアンテナを備え、前記光源が前記アンテナに埋め込まれていることを特徴とする請求項１又は２に記載の携帯端末。
【請求項４】
前記設置される生体と撮像部との間に、赤外光のみを透過させるフィルタを有することを特徴とする請求項１又は２に記載の携帯端末。
【請求項５】
前記フィルタが脱着可能であることを特徴とする請求項１又は２に記載の携帯端末。
【請求項６】
前記開口部は、設置された生体により外光が遮断されるような大きさの開口部であることを特徴とする請求項１又は２に記載の携帯端末。
【請求項７】
前記携帯端末は、前記光源から照射される光の強さを制御する手段を備えたことを特徴とする請求項１又は２に記載の携帯端末。
【請求項８】
前記携帯端末は、第１の部品と第２の部品とが折り畳めるように構成された筐体であって、前記位置決め手段は前記第１の部品と第２の部品との接続部に有することを特徴とする請求項１又は２に記載の携帯端末。
【請求項９】
前記光源は、前記開口部の周囲に配置されていることを特徴とする携帯端末。
【請求項１０】
前記携帯端末が、第１の部品と第２の部品とが折り畳めるように構成された筐体であり、前記光源が前記第１の部品に、前記撮像部は前記第２の部品に設置され、前記撮像部は、前記第１の部品と前記第２の部品との間に挟んで配置された生体に対し照射された前記光源からの光による生体の静脈画像を撮像することを特徴とする請求項１又は２に記載の携帯端末。
【請求項１１】
前記光源は、位置決め手段に設置される生体の両側を挟むように配置されていることを特徴とする請求項１０に記載の携帯端末。
【請求項１２】
前記携帯端末が、第１の部品と第２の部品とが折り畳めるように構成された筐体であり、前記撮像部が前記第１の部品に、前記光源は前記第２の部品に備えられた前記ボタン内部に設置され、前記撮像部は、前記第１の部品と前記第２の部品との間に挟んで配置された生体に対し照射された前記光源からの光による生体の静脈画像を撮像することを特徴とする請求項１又は２に記載の携帯端末。
【請求項１３】
前記携帯端末が、前記表示画面を備えた第１筐体と前記ボタンを備えた第２筐体とを平行な方向に移動可能に連結したスライド式携帯端末であって、前記第１筐体内又は前記第２筐体に、前記撮像部と前記光源とを備えることを特徴とする請求項１又は２に記載の携帯端末。
【請求項１４】
前記記憶装置は、前記保存された生体情報として、撮像された生体画像に回転処理を施したデータを複数枚有し、前記画像演算部は、前記撮像部によって撮像された画像と、前記複数枚のデータとを照合することを特徴とする請求項１又は２に記載の携帯端末。
【請求項１５】
前記画像演算部は、前記撮影された生体の画像の回転補正を行う手段を有することを特徴とする請求項１又は２に記載の携帯端末。
【請求項１６】
前記回転補正を行う手段は、前記撮像部によって撮像された静脈画像から静脈パターンを一定方向に揃える補正を行うことを特徴とする請求項１５に記載の携帯端末。
【請求項１７】
前記記憶装置が携帯電話端末から取り外し可能であることを特徴とする請求項１又は２に記載の携帯端末。
【請求項１８】
光を発光する光源と、
生体情報を保存する記憶装置と、
画像演算部と、
設置させる生体の設置位置を決める位置決め手段と、
第１の通信手段とを備えた携帯端末であって、
前記携帯端末に備えられた前記光源からの光による生体の静脈画像を撮像する撮像部と前記第１の通信手段と通信する第２の通信手段を備えた筐体から、撮像された生体画像を受け取り、前記記憶装置に保存された生体情報との照合を行うことを特徴とする携帯端末。
【請求項１９】
生体情報を保存する記憶装置と、
光源からの光による生体の静脈画像を撮像する撮像部と、
画像演算部と、
第１の通信手段とを備えた個人認証装置であって、
光源と、設置させる生体の設置位置を決める位置決め手段と、前記第１の通信手段と通信する第２の通信手段とを有する携帯端末の前記光源から照射された光により、前記撮像部は前記位置決め手段に設置された生体の静脈画像を撮像し、前記画像演算部は、前記記憶装置に保存された生体情報と照合して個人認証を行うことを特徴とする個人認証装置。
【請求項２０】
光源からの光による生体の静脈画像を撮像する撮像部と、
生体情報を保存する記憶装置と、
設置される生体の設置位置を決める位置決め手段と、
第１の通信手段とを備えた携帯端末であって、
光を発光する光源と前記第１の通信手段と通信する第２の通信手段を備えた筐体の前記光源から照射された光により設置された生体の静脈画像を撮像し、前記記憶装置に保存された生体情報との照合を行うことを特徴とする携帯端末。
【請求項２１】
生体情報を保存する記憶装置と、
光を発光する光源と、
画像演算部と、
第１の通信手段とを備えた個人認証装置であって、
前記光源は、設置される生体の設置位置を決める位置決め手段と、光源からの光による生体の静脈画像を撮像する撮像部と、前記第１の通信手段と通信する第２の通信手段を備えた携帯端末に対し、光を照射し、前記画像演算部は、前記前記撮像部によって撮像された静脈画像を受け取り、前記記憶装置に保存された生体情報と照合して、個人認証を行うことを特徴とする個人認証装置。
【請求項２２】
前記光源の光量制御手段を有し、前記光源の光量値と前記携帯端末の撮像手段によって撮像された画像の平均輝度値とに基いて、前記光源の光量制御をすることを特徴とする請求項２１に記載の個人認証装置。
【請求項２３】
光を発光する光源と、
該光源からの光によって生体の血管の画像を撮像する撮像部を備えた生体情報取得部と、
前記撮影された画像から特徴抽出と特徴照合を行う画像演算部と、
続部を支点として動作可能な生体設置させる設置手段と、
前記設置手段の接触により前記光源と前記撮像部の電流を制御するスイッチとを備える個人認証装置において、
前記設置手段の接触状態において、前記設置手段は前記光源と前記撮像部との間にあることを特徴とする個人認証装置。
【請求項２４】
生体情報を保存する記憶部と、
照合処理部とを有する認証サーバであって、
前記照合処理部は、光源と撮像部とを有する携帯端末から送信された、前記光源からの光により撮像された生体の静脈画像を受信し、前記記憶部に記憶された生体情報との照合処理を行い、情報の格納された第２の端末へ照合結果を送信することを特徴とする認証サーバ。
【請求項２５】
前記撮像部の撮像方向に開口する開口部を備え、
当該開口部は、設置される指よりも小さいことを特徴とする請求項２３に記載の個人認証装置。
【請求項２６】
生体情報を記憶する記憶装置を備え、当該記憶装置は、
撮像された生体画像に回転処理を施したデータを複数枚有し、前記画像演算部は、前記撮像部によって撮像された画像と、前記複数枚のデータとを照合することを特徴とする請求項２３に記載の個人認証装置。
【請求項２７】
前記画像演算部は、前記撮影された生体の画像の回転補正を行う手段を有することを特徴とする請求項２３または２６に記載の個人認証装置。